(57)【要約】【課題】室内側表面における結露を抑制可能な熱交換形換気装置を提供することを目的とする。【解決手段】熱交換形換気装置１は、窓枠３と、室内側採光部１４と室外側採光部１５とを有する採光部４と、室内側採光部１４と室外側採光部１５との間において採光部４と重畳して配置される熱交換素子５とを備える。窓枠３は、室内空気を取り込む排気流入口８と、室内空気を吹き出す排気流出口９と、室外空気を取り込む給気流入口１０と、室外空気を吹き出す給気流出口１１とを有する。熱交換素子５は、伝熱板１６と、室内側採光部１４と伝熱板１６との間に設けられた排気風路１７と、伝熱板１６と室外側採光部１５との間に設けられた給気風路１８とを有する。伝熱板１６は、排気風路１７を流通する室内空気６と、給気風路１８を流通する室外空気７との間で熱交換を行う。室内側採光部１４は、第１中空層１４ａを介して対向する一対の第１採光板１４ｂで構成される。【選択図】図４
2020070965.tif 000002
【特許請求の範囲】
【請求項１】
窓枠と、
前記窓枠の内側に設けられ、室内側に位置する室内側採光部と室外側に位置する室外側採光部とを有する採光部と、
前記室内側採光部と前記室外側採光部との間において、前記採光部と重畳して配置される熱交換素子と、を備え、
前記窓枠は、前記室内側に設けられ、室内空気を取り込む排気流入口と、前記室外側に設けられ、前記室内空気を吹き出す排気流出口と、前記室外側に設けられ、室外空気を取り込む給気流入口と、前記室内側に設けられ、前記室外空気を吹き出す給気流出口と、前記排気流入口から前記排気流出口へと前記室内空気を送風する排気送風機と、前記給気流入口から前記給気流出口へと前記室外空気を送風する給気送風機と、を有し、
前記熱交換素子は、前記室内側採光部と前記室外側採光部との間に設けられた光透過性のある伝熱板と、前記室内側採光部と前記伝熱板との間に設けられ、前記排気流入口と前記排気流出口とを連通する排気風路と、前記伝熱板と前記室外側採光部との間に設けられ、前記給気流入口と前記給気流出口とを連通する給気風路と、を有し、
前記伝熱板は、前記排気風路を流通する前記室内空気と、前記給気風路を流通する前記室外空気との間で熱交換を行い、
前記室内側採光部は、第１中空層を介して対向する一対の第１採光板で構成されていることを特徴とする熱交換形換気装置。
【請求項２】
前記室外側採光部は、第２中空層を介して対向する一対の第２採光板で構成されていることを特徴とする請求項１に記載の熱交換形換気装置。
【請求項３】
前記室内空気は、前記窓枠の上辺部に設けられた前記排気流入口から取り込まれ、前記排気風路を流通して、前記窓枠の下辺部に設けられた前記排気流出口から吹き出され、
前記室外空気は、前記窓枠の下辺部に設けられた前記給気流入口から取り込まれ、前記給気風路を流通して、前記窓枠の上辺部に設けられた前記給気流出口から吹き出され、
前記排気風路の空気流れ方向と前記給気風路の空気流れ方向とは互いに対向していることを特徴とする請求項１または２に記載の熱交換形換気装置。
【請求項４】
前記給気流出口は、前記窓枠の上辺部に設けられ、前記給気流出口から吹き出される前記室外空気が前記室内側採光部の室内側表面に沿って前記窓枠の下辺部に流れるように配置されていることを特徴とする請求項１〜３のいずれか一項に記載の熱交換形換気装置。
【請求項５】
前記室内側採光部の室内側において、前記室内側採光部と所定の間隔を有して前記室内側採光部を覆う仕切部材をさらに備え、
前記給気流出口は、前記室内側採光部と前記仕切部材との間に配置されていることを特徴とする請求項４に記載の熱交換形換気装置。
【発明の詳細な説明】
【技術分野】
【０００１】
本発明は、熱交換形換気装置に関し、特に窓に設置されて室内を換気する窓用の熱交換形換気装置に関するものである。
【背景技術】
【０００２】
近年、地球温暖化にともなって住宅の空調負荷を削減する要求が高まっており、優れた省エネ性と施工性を併せ持つ換気装置が求められている。こうした換気装置として、例えば、窓に設置して室内の換気を行う窓用の換気装置が知られている（例えば、特許文献１参照）。
【０００３】
以下、従来の換気装置１００について、図６、図７を参照しながら説明する。図６は、従来の換気装置１００の構成を示す概略斜視図である。図７は、従来の換気装置１００の概略断面図である。なお、図６は、室内側窓ガラス１０１を開けた状態で示している。
【０００４】
図６、図７に示すように、従来の換気装置１００は、室内側窓ガラス１０１と室外側窓ガラス１０２とが離隔され、その間に離隔通路１０３が設けられた構成となっている。離隔通路１０３は、その下部において第１ケーシング１０４と連通し、その上部において第２ケーシング１０５と連通している。従来の換気装置１００は、外気吸入時において、第１ケーシング１０４に設けられた外気流通口１０６から導入した外気（室外空気）を、離隔通路１０３を通して第２ケーシング１０５に設けられた内気流通口１０７より室内に給気するように構成されている。こうした従来の換気装置１００では、冬季の場合、冷たい外気が離隔通路１０３を通過する際に太陽光（日光）の輻射熱によって加熱されるため、外気を室内に導入した際に生じる室内温度の低下を抑制することができる。この結果、従来の換気装置１００では、外気の導入に伴う室内温度の低下を補うための室内暖房の負荷を軽減することができる。
【先行技術文献】
【特許文献】
【０００５】
【特許文献１】特開２００５−００３３４８号公報
【発明の概要】
【発明が解決しようとする課題】
【０００６】
しかしながら、このような従来の換気装置１００は、室内側窓ガラス１０１と室外側窓ガラス１０２との間に外気を通過させるため、冬季など外気の温度が低い場合に、室内側窓ガラス１０１の温度が低下し、室内側において室内側窓ガラス１０１に接する室内空気が冷やされることになる。このため、室内側窓ガラス１０１の室内側表面において結露が生じてしまうという課題があった。
【０００７】
また、窓用の換気装置として、排気流（室内空気）と給気流（室外空気）との間で熱交換を行うことにより、換気によって失う熱を低減することが可能な熱交換形換気装置を用いることが考えられる。しかしながら、こうした熱交換形換気装置を用いた場合にも、従来の換気装置１００と同様、導入する外気（室外空気）によって、熱交換形換気装置の室内側表面において結露が生じることが懸念されている。
【０００８】
そこで本発明は、上記従来の課題を解決するものであり、室内側表面における結露を抑制することが可能な熱交換形換気装置を提供することを目的とする。
【課題を解決するための手段】
【０００９】
そして、この目的を達成するために、本発明に係る熱交換形換気装置は、窓枠と、窓枠の内側に設けられ、室内側に位置する室内側採光部と室外側に位置する室外側採光部とを有する採光部と、室内側採光部と室外側採光部との間において、採光部と重畳して配置される熱交換素子と、を備える。窓枠は、室内側に設けられ、室内空気を取り込む排気流入口と、室外側に設けられ、室内空気を吹き出す排気流出口と、室外側に設けられ、室外空気を取り込む給気流入口と、室内側に設けられ、室外空気を吹き出す給気流出口と、排気流入口から排気流出口へと室内空気を送風する排気送風機と、給気流入口から給気流出口へと室外空気を送風する給気送風機と、を有する。熱交換素子は、室内側採光部と室外側採光部との間に設けられた光透過性のある伝熱板と、室内側採光部と伝熱板との間に設けられ、排気流入口と排気流出口とを連通する排気風路と、伝熱板と室外側採光部との間に設けられ、給気流入口と給気流出口とを連通する給気風路と、を有する。伝熱板は、排気風路を流通する室内空気と、給気風路を流通する室外空気との間で熱交換を行う。室内側採光部は、第１中空層を介して対向する一対の第１採光板で構成される。
【発明の効果】
【００１０】
本発明に係る熱交換形換気装置によれば、室内側表面における結露を抑制することが可能な熱交換形換気装置を提供することができる。
【図面の簡単な説明】
【００１１】
【図１】図１は、本発明の実施の形態１に係る熱交換形換気装置の設置例を示す概略正面図である。
【図２】図２は、同熱交換形換気装置の室内側から見た概略斜視図である。
【図３】図３は、同熱交換形換気装置の室外側から見た概略斜視図である。
【図４】図４は、同熱交換形換気装置の概略断面図である。
【図５】図５は、本発明の実施の形態２に係る熱交換形換気装置の概略断面図である。
【図６】図６は、従来の換気装置の構成を示す概略斜視図である。
【図７】図７は、従来の換気装置の概略断面図である。
【発明を実施するための形態】
【００１２】
本発明に係る熱交換形換気装置は、窓枠と、窓枠の内側に設けられ、室内側に位置する室内側採光部と室外側に位置する室外側採光部とを有する採光部と、室内側採光部と室外側採光部との間において、採光部と重畳して配置される熱交換素子と、を備える。窓枠は、室内側に設けられ、室内空気を取り込む排気流入口と、室外側に設けられ、室内空気を吹き出す排気流出口と、室外側に設けられ、室外空気を取り込む給気流入口と、室内側に設けられ、室外空気を吹き出す給気流出口と、排気流入口から排気流出口へと室内空気を送風する排気送風機と、給気流入口から給気流出口へと室外空気を送風する給気送風機と、を有する。熱交換素子は、室内側採光部と室外側採光部との間に設けられた光透過性のある伝熱板と、室内側採光部と伝熱板との間に設けられ、排気流入口と排気流出口とを連通する排気風路と、伝熱板と室外側採光部との間に設けられ、給気流入口と給気流出口とを連通する給気風路と、を有する。伝熱板は、排気風路を流通する室内空気と、給気風路を流通する室外空気との間で熱交換を行う。室内側採光部は、第１中空層を介して対向する一対の第１採光板で構成される。
【００１３】
こうした構成によれば、第１中空層を介して対向する一対の第１採光板で構成された室内側採光部によって、室内側採光部の室内側の室内空気と、排気風路を流通する室内空気（室外空気と熱交換して温度が低下した室内空気）との間での熱伝達が抑制される。このため、冬季など室外空気の温度が低い場合に、室内側採光部の室内側の室内空気の温度が低下することによって生じる結露（室内側採光部の室内側表面での結露）を抑制することができる。つまり、室内側表面での結露を抑制することが可能な熱交換形換気装置とすることができる。
【００１４】
また、室外側採光部は、第２中空層を介して対向する一対の第２採光板で構成してもよい。
【００１５】
こうした構成によれば、第２中空層を介して対向する一対の第２採光板で構成された室外側採光部によって、室外から熱交換素子（給気風路を流通する室外空気）への熱伝達を抑制することができる。すなわち、給気風路を流通する室外空気（室内空気と熱交換して温度が上昇した室外空気）の温度低下が抑えられ、排気風路を流通する室内空気の温度を上昇させることができる。この結果、室内側採光部の室内側の室内空気の温度低下が抑制され、室内側採光部の室内側表面での結露をさらに抑制することができる。
【００１６】
また、室内空気は、窓枠の上辺部に設けられた排気流入口から取り込まれ、排気風路を流通して、窓枠の下辺部に設けられた排気流出口から吹き出され、室外空気は、窓枠の下辺部に設けられた給気流入口から取り込まれ、給気風路を流通して、窓枠の上辺部に設けられた給気流出口から吹き出され、排気風路の空気流れ方向と給気風路の空気流れ方向とは互いに対向するように構成してもよい。
【００１７】
こうした構成によれば、空気流れに垂直な方向に均一である面温度分布で熱交換することができる。つまり、熱交換素子（排気風路を流通する室内空気）の面温度分布の局所的な偏りを軽減することによって、室内側採光部の室内側の室内空気の温度の局所的な低下が抑制され、室内側採光部の室内側表面での結露をさらに抑制することができる。
【００１８】
また、給気流出口は、窓枠の上辺部に設けられ、給気流出口から吹き出される室外空気が室内側採光部の室内側表面に沿って窓枠の下辺部に流れるように構成してもよい。
【００１９】
こうした構成によれば、給気流出口から吹き出される室外空気が、室内側採光部の室内側の室内空気と室内側採光部の室内側表面との間に流れ込み、室内空気が室内側採光部の室内側表面に達することが低減される。この結果、室内側採光部の室内側表面での結露をさらに抑制することができる。
【００２０】
また、室内側採光部の室内側において、室内側採光部と所定の間隔を有して室内側採光部を覆う仕切部材をさらに備え、給気流出口は、室内側採光部と仕切部材との間に配置されるように構成してもよい。
【００２１】
こうした構成によれば、室内側採光部の室内側の室内空気の循環が抑制され、室内側採光部の室内側表面に達する室内空気をより効果的に低減することができる。この結果、室内側採光部の室内側表面での結露をさらに抑制することができる。
【００２２】
以下、本発明の実施の形態について図面を参照しながら説明する。
【００２３】
（実施の形態１）
まず、図１〜図４を参照して、本発明の実施の形態１に係る熱交換形換気装置１について説明する。図１は、本発明の実施の形態１に係る熱交換形換気装置１の設置例を示す概略正面図である。図２は、熱交換形換気装置１の室内側から見た概略斜視図である。図３は、熱交換形換気装置１の室外側から見た概略斜視図である。図４は、熱交換形換気装置１の概略断面図である。なお、図１は、家の室内側からみた状態である。
【００２４】
熱交換形換気装置１は、図１に示すように、家の壁面２に窓として設置されている。熱交換形換気装置１は、外径が矩形状である窓枠３と、窓枠３の内側に設けられた採光部４と、採光部４と重畳して設けられた光透過性のある熱交換素子５と、を有している。熱交換形換気装置１は、動作することによって、家の室内の空気（以下、室内空気６）と室外の空気（以下、室外空気７）との間で熱交換しつつ換気を行う。
【００２５】
窓枠３は、図１に示すように、外径が矩形状であり、室内側からみて、上側にある上辺部３ａと、上辺部３ａと対となる下側にある下辺部３ｂと、左側にある左辺部３ｃと、左辺部３ｃと対となる右側にある右辺部３ｄとで構成されている。窓枠３は、上辺部３ａの左右両端で左辺部３ｃの上端および右辺部３ｄの上端と連結し、下辺部３ｂの左右両端で左辺部３ｃの下端および右辺部３ｄの下端とを連結している。ここで、窓枠３の内側には、外の光を室内に取り入れるための採光部４および熱交換素子５が設けられている。
【００２６】
窓枠３の材質は、一般的に金属または樹脂が用いられる。金属としては、軽量なアルミなどを用いることがよく、樹脂としては、剛性の高い塩化ビニルやポリカーボネートなどが用いられる。室外からの熱の侵入を防ぐためには、金属と比較して熱伝導性の低い樹脂を用いることが好ましい。
【００２７】
窓枠３は、中空部材で構成されている。窓枠３の室内側の上辺部３ａには、図２に示すように、室内空気６を取り込むための排気流入口８と、室外空気７を吹き出すための給気流出口１１とが形成されている。一方、窓枠３の室外側の下辺部３ｂには、図３に示すように、室内空気６を吹き出すための排気流出口９と、室外空気７を取り込むための給気流入口１０とが形成されている。なお、図示していないが、排気流入口８（あるいは排気流入口８の近傍の排気風路１７）には排気フィルタが取り付けられ、給気流入口１０（あるいは給気流入口１０の近傍の給気風路１８）には給気フィルタが取り付けられている。
【００２８】
本実施の形態では、窓枠３の室内側の上辺部３ａに設けた給気流出口１１は、給気流出口１１から吹き出される室外空気７が採光部４（後述する室内側採光部１４）の室内側表面に沿って窓枠３の下辺部３ｂ側に流れるように、その吹き出し方向が調整されている。
【００２９】
また、窓枠３の上辺部３ａの内部には、図４に示すように、排気流入口８から排気流出口９へと室内空気６を送風するための排気送風機１２が設置されている。一方、窓枠３の下辺部３ｂの内部には、給気流入口１０から給気流出口１１へと室外空気７を送風するための給気送風機１３が設置されている。ここで、排気送風機１２および給気送風機１３に用いる送風機としては、例えば、クロスフローファンあるいは小型のブロアファンが挙げられる。
【００３０】
採光部４（および熱交換素子５）は、図１〜図３に示すように、上辺部３ａ、下辺部３ｂ、左辺部３ｃ、右辺部３ｄの窓枠３に固定されて、配置されている。採光部４は、光を透過する材質で構成されており、一般的に硝子材料、強化プラスチック等の材料で構成されている。詳細は後述するが、熱交換素子５もまた光透過性のある材料で構成されている。
【００３１】
採光部４は、図４に示すように、熱交換素子５と重畳して構成されている。具体的には、採光部４は、熱交換素子５よりも室内側に位置する室内側採光部１４と、熱交換素子５よりも室外側に位置する室外側採光部１５とを有している。そして、採光部４は、室内側採光部１４と室外側採光部１５との間において熱交換素子５を重畳するように構成されている。つまり、採光部４が熱交換素子５と重畳する構成とは、室内側から室外側に向かって、室内側採光部１４、熱交換素子５、室外側採光部１５の順に各部材が積み重なって配置された状態を示す。
【００３２】
室内側採光部１４は、第１中空層１４ａを介して対向する一対の第１採光板１４ｂで構成されている。ここで、第１中空層１４ａは、一対の第１採光板１４ｂの間に第１スペーサ部材１４ｃを挟み込むことで形成されている。また、第１中空層１４ａには乾燥した空気あるいはアルゴン等の低熱伝導性ガスが封入され、第１中空層１４ａは断熱層として機能する。
【００３３】
一方、室外側採光部１５は、第２中空層１５ａを介して対向する一対の第２採光板１５ｂで構成されている。ここで、第２中空層１５ａは、一対の第２採光板１５ｂの間に第２スペーサ部材１５ｃを挟み込むことで形成されている。また、第２中空層１５ａには乾燥した空気あるいはアルゴン等の低熱伝導性ガスが封入され、第２中空層１５ａは断熱層として機能する。なお、本実施の形態では、室内側採光部１４と室外側採光部１５とは同一材料、同一構造としている。
【００３４】
熱交換素子５は、図４に示すように、室内側採光部１４と室外側採光部１５との間において採光部４と重畳するように配置されている。具体的には、熱交換素子５は、光透過性のある伝熱板１６と、排気風路１７と、給気風路１８とを有して構成されている。なお、熱交換素子５の熱交面積（熱交換可能な面積）は、図１〜図４に示すように、採光部４の採光面積と同程度またはそれ以上としている。
【００３５】
伝熱板１６は、室内側採光部１４と室外側採光部１５との間に設けられ、排気風路１７を流通する室内空気６と、給気風路１８を流通する室外空気７との間で熱交換を行う。伝熱板１６の材質は、光透過性を有し、且つ、熱交換するために熱のみを伝える素材、例えばポリプロピレン、ポリカーボネートといった樹脂あるいは従来の窓に設置されるガラス材などが用いられる。あるいは、伝熱板１６の材質として、光透過性を有し、且つ、熱と湿度とをともに伝える素材、例えばポリウレタンといった樹脂を用いてもよい。
【００３６】
排気風路１７は、室内側採光部１４と伝熱板１６との間に設けられ、排気流入口８と排気流出口９とを連通している風路である。排気風路１７は、排気風路１７を流通する室内空気６が窓枠３の上辺部３ａから窓枠３の下辺部３ｂに向かって流れるように構成されている。一方、給気風路１８は、伝熱板１６と室外側採光部１５との間に設けられ、給気流入口１０と給気流出口１１とを連通している風路である。給気風路１８は、給気風路１８を流通する室外空気７が窓枠３の下辺部３ｂから窓枠３の上辺部３ａに向かって流れるように構成されている。つまり、排気風路１７を流通する室内空気６の空気流れ方向と給気風路１８を流通する室外空気７の空気流れ方向とは互いに対向している。
【００３７】
次に、熱交換形換気装置１における熱交換換気について、図４を参照して説明する。
【００３８】
熱交換形換気装置１は、熱交換換気を行う場合には、熱交換素子５の排気送風機１２および給気送風機１３を動作させる。
【００３９】
熱交換素子５は、図４に示すように、窓枠３の上辺部３ａ内に設けた排気送風機１２を駆動することで、室内側の上辺部３ａに設けた排気流入口８から室内空気６を吸い込み、排気送風機１２を経由して、熱交換素子５の排気風路１７を流通し、窓枠３の室外側の下辺部３ｂに設けた排気流出口９から室内空気６を室外へと排出する。
【００４０】
一方、熱交換素子５は、窓枠３の下辺部３ｂ内に設けた給気送風機１３を駆動することで、室外側の下辺部３ｂに設けた給気流入口１０から室外空気７を吸い込み、給気送風機１３を経由して、熱交換素子５の給気風路１８を流通し、室内側の上辺部３ａに設けた給気流出口１１から室外空気７を室内へと取り入れる。
【００４１】
熱交換素子５は、排気風路１７を流通する室内空気６（排気流）と、給気風路１８を流通する室外空気７（給気流）との間で伝熱板１６を介して熱交換を行う。これにより、熱交換素子５は、換気を行う際に、室外に放出する室内空気６の熱を室内に取り入れる室外空気７へと伝達し、不要な熱の放出を抑制し、室内に熱を回収している。
【００４２】
以上、本実施の形態１に係る熱交換形換気装置１によれば、以下の効果を享受することができる。
【００４３】
（１）第１中空層１４ａを介して対向する一対の第１採光板１４ｂで構成された室内側採光部１４を設けたことによって、室内側採光部１４の室内側の室内空気６と、排気風路１７を流通する室内空気６（室外空気７と熱交換して温度が低下した室内空気６）との間での熱伝達が抑制される。このため、冬季など室外空気７の温度が低い場合でも、室内側採光部１４の室内側表面の室内空気６の温度が、室外空気７と熱交換して温度が低下した室内空気６によって低下することが抑制される。この結果、室内側採光部１４の室内側の室内空気６の温度が低下することによって生じる結露（室内側採光部１４の室内側表面での結露）を抑制することができる。つまり、室内側表面での結露を抑制することが可能な熱交換形換気装置１とすることができる。
【００４４】
（２）第２中空層１５ａを介して対向する一対の第２採光板１５ｂで構成された室外側採光部１５を設けたことによって、室外から熱交換素子５（給気風路１８を流通する室外空気７）への熱伝達を抑制することができる。すなわち、冬季の場合には、給気風路１８を流通する室外空気７（室内空気６と熱交換して温度が上昇した室外空気７）の温度が、室外側採光部１５の室外側の室外空気７によって低下することが抑えられるので、結果として排気風路１７を流通する室内空気６の温度を上昇させることができる。この結果、室内側採光部１４の室内側の室内空気６の温度低下が抑制され、室内側採光部１４の室内側表面での結露をさらに抑制することができる。
【００４５】
一方、夏季の場合には、給気風路１８を流通する室外空気７（室内空気６と熱交換して温度が上昇した室外空気７）の温度が、室外側採光部１５の室外側の室外空気７によってさらに上昇することが抑えられる。このため、室外空気７を室内に導入した際に生じる室内温度の上昇を抑制することができる。この結果、室外空気７の導入に伴う室内温度の上昇を補うための室内冷房の負荷を軽減することができる。
【００４６】
（３）排気風路１７を流通する室内空気６の空気流れ方向と給気風路１８を流通する室外空気７の空気流れ方向とが互いに対向することによって、空気流れに垂直な方向に均一である面温度分布で熱交換することができる。つまり、熱交換素子５（排気風路１７を流通する室内空気６）の面温度分布の局所的な偏りを軽減することによって、冬季の場合には、室内側採光部１４の室内側の室内空気６の温度の局所的な低下が抑制され、室内側採光部１４の室内側表面での結露をさらに抑制することができる。
【００４７】
（４）給気流出口１１から吹き出される室外空気７が室内側採光部１４の室内側表面に沿って窓枠３の下辺部３ｂ側に流れる構成としたことによって、給気流出口１１から吹き出される室外空気７が、室内側採光部１４の室内側の室内空気６と室内側採光部１４の室内側表面との間に流れ込み、室内空気６が室内側採光部１４の室内側表面に達することが低減される。この結果、冬季の場合には、室内側採光部１４の室内側表面での結露をさらに抑制することができる。
【００４８】
（５）採光部４に重畳した熱交換素子５を備えることによって、太陽光（日光）の輻射熱によって熱交換素子５の伝熱板１６の表面温度が上昇し、給気風路１８を流通する室外空気７の温度を上昇させることができる。この結果、上記（２）と同様、室内側採光部１４の室内側表面での結露をさらに抑制することができる。
【００４９】
（６）採光部４に重畳した熱交換素子５を備えることによって、冬季など室外空気７の温度が低い場合、室外空気７が給気風路１８を流通する際に太陽光（日光）の輻射熱によって加熱されるため、室外空気７を室内に導入した際に生じる室内温度の低下を抑制することができる。この結果、室外空気７の導入に伴う室内温度の低下を補うための室内暖房の負荷を軽減することができる。
【００５０】
（７）排気流入口８に排気フィルタを設けるとともに、給気流入口１０に給気フィルタを設けることよって、室内空間および室外空間の埃などの固形物が熱交換素子５へ流入するのを防止することができる。この結果、熱交換素子５の内部に固形物が詰まり、固形物が通風抵抗となることで排気風量および給気風量が減少するのを防止するとともに、伝熱板１６の表面に付着する汚れを防止することができ、窓としての採光機能の低下を抑制することができる。
【００５１】
（実施の形態２）
本発明の実施の形態２に係る熱交換形換気装置１は、室内側に室内側採光部１４と所定の間隔を有して重畳する仕切部材２０を設けている点で実施の形態１と異なる。これ以外の熱交換形換気装置１の構成は、実施の形態１と同様である。以下、実施の形態１で説明済みの内容は再度の説明を適宜省略し、実施の形態１と異なる点を主に説明する。
【００５２】
本発明の実施の形態２に係る熱交換形換気装置１について、図５を参照して説明する。図５は、本発明の実施の形態２に係る熱交換形換気装置１の概略断面図である。
【００５３】
図５に示すように、熱交換形換気装置１は、窓枠３に設けられた取付部１９と、取付部１９から垂れ下がった仕切部材２０とを備えている。
【００５４】
取付部１９は、窓枠３の上辺部３ａの室内側の所定の位置に設けられ、仕切部材２０の上端部が取り付けられている。
【００５５】
仕切部材２０は、その上端部が取付部１９に取り付けられ、室内側採光部１４の室内側において室内側採光部１４と所定の間隔を有して室内側採光部１４の全面を覆うように垂れ下がっている。仕切部材２０としては、例えば、遮光カーテンが用いられる。
【００５６】
窓枠３の上辺部３ａに設けられた給気流出口１１は、室内側採光部１４と仕切部材２０との間に配置されている。給気流出口１１から吹き出された室外空気７は、室内側採光部１４と仕切部材２０との間の空間を通って窓枠３の下辺部３ｂ側に流れ、仕切部材２０の下端部と窓枠３の下辺部３ｂとの間から室内に流れていく。
【００５７】
以上、本実施の形態２に係る熱交換形換気装置１によれば、以下の効果を享受することができる。
【００５８】
（８）室内側に室内側採光部１４の全面を覆う仕切部材を設けたことによって、室内側採光部１４の室内側の室内空気６の循環が抑制され、室内側採光部１４の室内側表面に達する室内空気６を効果的に低減することができる。この結果、室内側採光部１４の室内側表面での結露をさらに抑制することができる。
【００５９】
（９）室内側に室内側採光部１４の全面を覆う仕切部材を設けたことによって、冬季など室外空気７の温度が低い場合、給気流出口１１から吹き出される室外空気７が、室内側採光部１４と仕切部材２０との間の空間を流通する際に太陽光（日光）の輻射熱によって加熱される。このため、室外空気７を室内に導入した際に生じる室内温度の低下を抑制することができる。この結果、室外空気７の導入に伴う室内温度の低下を補うための室内暖房の負荷を軽減することができる。
【００６０】
以上、本発明に関して実施の形態をもとに説明した。これらの実施の形態は例示であり、それらの各構成要素や各処理プロセスの組合せにいろいろな変形例が可能なこと、またそうした変形例も本発明の範囲にあることは当業者に理解されるところである。
【００６１】
本実施の形態では、採光部４として、第１中空層１４ａを有する室内側採光部１４と第２中空層１５ａを有する室外側採光部１５とからなる構成としたが、これに限られない。例えば、採光部４として、第１中空層１４ａを有する室内側採光部１４と中空層を有さない室外側採光部１５（例えば、単体の第２採光板１５ｂのみ）とからなる構成にしてもよい。
【００６２】
本実施の形態では、排気流入口８（あるいは排気流入口８の近傍の排気風路１７）に排気フィルタを取り付けるとともに、給気流入口１０（あるいは給気流入口１０の近傍の給気風路１８）に給気フィルタを取り付ける構成としたが、これに限られない。例えば、室外空間には室内空間よりも花粉あるいは埃などの固形物が多く存在しているため、給気流入口１０側のみに給気フィルタを取り付ける構成としてもよい。これにより、少なくとも排気風路１７よりも固形物が詰まりやすい給気風路１８への固形物の流入（給気風路１８の給気風量の減少）を防止することができる。
【産業上の利用可能性】
【００６３】
本発明に係る熱交換形換気装置は、室内空気と室外空気との間での熱交換を可能とする熱交換形換気装置として有用である。主に建物の窓に用いられることで効果を奏する。
【符号の説明】
【００６４】
１    熱交換形換気装置
２    家の壁面
３    窓枠
３ａ    上辺部
３ｂ    下辺部
３ｃ    左辺部
３ｄ    右辺部
４    採光部
５    熱交換素子
６    室内空気
７    室外空気
８    排気流入口
９    排気流出口
１０    給気流入口
１１    給気流出口
１２    排気送風機
１３    給気送風機
１４    室内側採光部
１４ａ    第１中空層
１４ｂ    第１採光板
１４ｃ    第１スペーサ部材
１５    室外側採光部
１５ａ    第２中空層
１５ｂ    第２採光板
１５ｃ    第２スペーサ部材
１６    伝熱板
１７    排気風路
１８    給気風路
１９    取付部
２０    仕切部材
１００    換気装置
１０１    室内側窓ガラス
１０２    室外側窓ガラス
１０３    離隔通路
１０４    第１ケーシング
１０５    第２ケーシング
１０６    外気流通口
１０７    内気流通口
【図１】
2020070965.tif 000003
【図２】
2020070965.tif 000004
【図３】
2020070965.tif 000005
【図４】
2020070965.tif 000006
【図５】
2020070965.tif 000007
【図６】
2020070965.tif 000008
【図７】
2020070965.tif 000009